(57)【要約】【課題】本発明の目的とするところは、原稿給送部から画像読取部への原稿シートの搬送安定化を図った画像読取装置を提供することにある。【解決手段】上記課題を解決するために、本発明に係る画像読取装置の代表的な構成は、原稿台上の原稿の画像を読取可能な読取手段を有する画像読取部と、該画像読取部に対して開閉自在に設けられると共に、停止状態にある前記読取手段に対して原稿シートを給送する原稿給送部と、を備える画像読取装置において、前記原稿給送部に回動自在に設けられ、該原稿給送部の開閉動作の過程で、その先端が前記画像読取部の表面に当接した状態を維持しながら回動するガイド部材であって、前記原稿給送部を閉じた状態では前記画像読取部表面への当接状態を保ち、該原稿給送部により給送された原稿シートを前記読取手段の読取部に導くガイド部材を設けたことを特徴とする。【選択図】　　図４
2004064607.tif 000002
【特許請求の範囲】
【請求項１】
原稿台上の原稿の画像を読取可能な読取手段を有する画像読取部と、
該画像読取部に対して開閉自在に設けられると共に、停止状態にある前記読取手段に対して原稿シートを給送する原稿給送部と、
を備える画像読取装置において、
前記原稿給送部に回動自在に設けられ、該原稿給送部の開閉動作の過程で、その先端が前記画像読取部の表面に当接した状態を維持しながら回動するガイド部材であって、
前記原稿給送部を閉じた状態では前記画像読取部表面への当接状態を保ち、該原稿給送部により給送された原稿シートを前記読取手段の読取部に導くガイド部材を設けたことを特徴とする画像読取装置。
【請求項２】
前記ガイド部材は、原稿の搬送方向と直行する方向に複数設けられ、前記原稿給送部に対してそれぞれ独立に回動自在であることを特徴とする請求項１記載の画像読取装置。
【請求項３】
前記ガイド部材は、該ガイド部材の自重によって、その先端が前記画像読取部表面への当接状態を維持することを特徴とする請求項１記載の画像読取装置。
【請求項４】
原稿台上の原稿の画像を読取可能な読取手段を有する画像読取部と、
該画像読取部に対して開閉自在に設けられると共に、停止状態にある前記読取手段に対して原稿シートを給送する原稿給送部と、
を備える画像読取装置において、
前記画像読取部に回動自在に設けられ、前記原稿給送部の開閉動作の過程で、その先端が前記原稿給送部の表面に当接した状態を維持しながら回動するガイド部材であって、
前記原稿給送部を閉じた状態では該原稿給送部表面への当接状態を保ち、該原稿給送部により給送された原稿シートを前記読取手段の読取部に導くガイド部材を設けたことを特徴とする画像読取装置。
【請求項５】
前記ガイド部材は、原稿の搬送方向と直行する方向に複数設けられ、前記画像読取部に対してそれぞれ独立に回動自在であることを特徴とする請求項４記載の画像読取装置。
【請求項６】
前記ガイド部材の先端を、前記原稿給送部表面に向けて付勢する付勢手段を備えたことを特徴とする請求項４記載の画像読取装置。
【請求項７】
前記ガイド部材は、前記原稿台上に載置する原稿の位置決めを行うガイド面を備えることを特徴とする請求項４記載の画像読取装置。
【請求項８】
前記原稿給送部は、前記原稿台上に載置された原稿を覆うカバー機能を備えることを特徴とする請求項１乃至請求項７のいずれか１項記載の画像読取装置。
【請求項９】
前記原稿給送部内に、該原稿給送部により給送されるシートの、前記読取手段により読み取られる面とは反対側の面の画像を読み取る裏面読取手段を備えることを特徴とする請求項１乃至請求項８のいずれか１項記載の画像読取装置。
【請求項１０】
前記読取手段は原稿台と平行に移動しながら原稿台上に載置された原稿の画像を読み取ることを特徴とする請求項１記載の画像読取装置。
【請求項１１】
前記読取手段は所定の位置に停止した状態で、前記原稿給送部によって給送された原稿シートの画像を読み取ることを特徴とする請求項１乃至請求項１０のいずれか１項記載の画像読取装置。
【発明の詳細な説明】
【０００１】
【発明の属する技術分野】
本発明は、搬送中の原稿シートの画像を読み取る画像読取装置に関し、特に原稿シートの搬送安定化を図ったものである。
【０００２】
【従来の技術】
従来、画像読取装置に採用されている原稿上の画像を読み取るための方式として、以下の２つの方式がよく知られている。
【０００３】
第一の方式は原稿固定方式である。これは、原稿台上に原稿を所定の方法でセットし、原稿台ガラス上に固定された原稿を、移動可能な光学キャリッジによってスキャンすることで、原稿上の画像を画像読み取り部にて読み取る方式である。第二の方式は原稿搬送方式である。これは、原稿を所定の搬送スピードで搬送させて、固定させた光学キャリッジにより、所定の読み取り部にて流し読みする方式である。
【０００４】
後者の原稿搬送方式は、前者の原稿固定方式に比較して光学キャリッジを固定でき、毎回光学キャリッジを往復移動する必要がない。このため、装置構成が複雑とならず、また処理の高速化といった点で前者の原稿固定方式に比べ優位性がある。さらに、複写機などにおいては、近年のデジタル処理技術の進歩に伴い、同一原稿から複数枚のコピーを形成する場合でも、原稿の読み取りは一回で済むようになった。つまり、一度読み取った画像情報をコンピュータなどの記憶媒体にデジタル情報として一時保存することにより、この記憶された画像情報に基づいて必要な枚数の複写画像を再形成することが容易になったのである。この点でも、原稿搬送方式による画像読み取りの優位性は一層大きくなってきた。
【０００５】
また、原稿がその表裏に画像を含む場合、それら両面の画像を読み取るに当たって操作の便宜や高速化を図るといった観点から、原稿の搬送経路に沿って、２機の光学キャリッジを設け、各光学キャリッジによって原稿のそれぞれの面に含まれる画像を読み取るよう構成された読取装置もある。このような装置構成によれば、所定の経路に沿って搬送される原稿の表裏に含まれる画像をほぼ同時に流し読むことができるようになるため、原稿の両面複写における読み取り処理の高速化を図ることができる。
【０００６】
原稿搬送方式の画像読取装置としては、原稿固定方式の画像読取部の上部に、原稿を自動で給送、搬送する原稿自動給送部が取り付けられ、光学キャリッジを所定の位置に停止させた状態にして、原稿台ガラス上を搬送される原稿の画像を読み取るものが一般的である。このような構成では、原稿自動給送部は原稿台ガラスに載置された原稿を原稿台ガラス上に押さえつける圧板の機能を備え、画像読取部に対して開閉可能に構成される。
【０００７】
また、両面を読み取ることができる画像読取装置では、原稿自動給送部内に、原稿固定読取部の第一の光学キャリッジに対して原稿を挟んで対向する位置に第二の光学キャリッジを設ける。これにより、原稿の両面をほぼ同時に読み取ることが可能な構成がとられる。このような装置では第二の光学キャリッジも原稿自動給送部と一体で画像読取部に対して開閉可能に構成されている。
【０００８】
【発明が解決しようとする課題】
しかしながら、上記のような従来技術の場合には、下記のような問題が生じていた。すなわち、上記のような原稿搬送方式の画像読取装置では、読み取り中における原稿の挙動の乱れが読取精度に悪影響を与えてしまう。例えば、読み取り中の原稿搬送速度の変化や搬送パス内での上下動によって、読み取り画像に伸縮が生じたり、突発的に画像が乱れたりする。
【０００９】
特に、カラースキャナの場合には、原稿搬送方向に並んだ各色の読み取り素子に対して、原稿の搬送速度に合わせたタイミングで各色の読み取りを行い、電気的に重ね合わせてカラー画像として再形成する。そのため、搬送中における原稿の挙動の乱れは読み取り画像の色ずれとなって現れてしまう。
【００１０】
原稿搬送方式の画像読取装置では、このような理由から、原稿搬送に対して高い精度が要求され、原稿搬送経路は、可能な限り、例えば段差など原稿の挙動を乱す要素を取り除くように構成される必要がある。
【００１１】
ところが、上記のように原稿固定方式と原稿搬送方式の両方式を備えた画像読取装置では、画像読取部と原稿給送部が開閉可能に構成されていることによって、原稿給送部によって搬送された原稿が、画像読取部に導かれる場合に、原稿が原稿給送部の段差を通過することが避けられない。
【００１２】
このため、原稿の後端がこのような段差を通過するときに、原稿が急に上下動することによって、光学キャリッジに対する原稿の搬送速度や位置などの挙動が乱れ、この時点で読み取った画像に色ずれ等の悪影響を及ぼしてしまう。特にコシの強い厚手の原稿においてはこのような現象が顕著に現れるという問題がある。
【００１３】
そこで本発明は、上記の従来技術の課題を解決するためになされたもので、その目的とするところは、原稿給送部から画像読取部への原稿シートの搬送安定化を図った画像読取装置を提供することにある。
【００１４】
【課題を解決するための手段】
上記課題を解決するために、本発明に係る画像読取装置の代表的な構成は、原稿台上の原稿の画像を読取可能な読取手段を有する画像読取部と、該画像読取部に対して開閉自在に設けられると共に、停止状態にある前記読取手段に対して原稿シートを給送する原稿給送部と、を備える画像読取装置において、前記原稿給送部に回動自在に設けられ、該原稿給送部の開閉動作の過程で、その先端が前記画像読取部の表面に当接した状態を維持しながら回動するガイド部材であって、前記原稿給送部を閉じた状態では前記画像読取部表面への当接状態を保ち、該原稿給送部により給送された原稿シートを前記読取手段の読取部に導くガイド部材を設けたことを特徴とする。
【００１５】
また、同様の画像読取装置において、前記画像読取部に回動自在に設けられ、前記原稿給送部の開閉動作の過程で、その先端が前記原稿給送部の表面に当接した状態を維持しながら回動するガイド部材であって、前記原稿給送部を閉じた状態では該原稿給送部表面への当接状態を保ち、該原稿給送部により給送された原稿シートを前記読取手段の読取部に導くガイド部材を設けたことを特徴とする。
【００１６】
【発明の実施の形態】
［第一実施形態］
本発明に係る画像読取装置の第一実施形態について、図を用いて説明する。図１は本実施形態に係る画像読取装置の概略構成断面図、図２は画像読取装置の要部拡大図、図３は画像読取装置の模式的斜視図、図４は画像読取装置における特徴部分の拡大断面図である。
【００１７】
なお、各図に示す画像読取装置は、デジタル複写機における画像読取装置として適用可能な装置である。ただし、本実施形態および以下の実施形態に記載されている構成部品の寸法、材質、形状、その相対配置などは、特に特定的な記載がない限りは、この発明の範囲をそれらのみに限定する趣旨のものではない。
【００１８】
（全体構成）
まず、特に、図１〜図３を参照して、画像読取装置全体の構成等について説明する。図１に示すように、画像読取装置は、概略、原稿を載置固定してその表面画像を読み取るフラットベッド画像読み取り部（以下、ＦＢ１と称する）と、同ＦＢ１の上面に取り付けられる自動給送装置（以下、ＡＤＦ２と称する）とから構成される。そして、これらＦＢ１の一部とＡＤＦ２の一部とが複合して、原稿搬送読取部を形成している。
【００１９】
ＦＢ１は、載置固定された原稿の表面画像を読み取る機構を有する。このＦＢ１は、その上面に原稿を載置する透光性板材であるところの基準原稿台ガラス３を備える。また、この原稿台ガラス３の下部には、原稿の読み取りを行うための読取手段としての第一光学キャリッジＡを備える。
【００２０】
第一光学キャリッジＡは、無端の駆動ベルト５に連結され、さらにこの駆動ベルト５は駆動モータ６に連結されている。駆動モータ６の動力が駆動ベルト５を介して第一光学キャリッジＡに伝達されることにより、第一光学キャリッジＡは、原稿台ガラス３と平行に移動自在となっている。
【００２１】
この第一光学キャリッジＡは、原稿固定方式と原稿搬送方式のいずれの読み取り方式の場合にも用いられるものである。すなわち、この第一光学キャリッジＡは、原稿台ガラス３上に載置固定された原稿上の画像を読み取る機能（固定読み取り機能）を備える。また、この第一光学キャリッジＡは、所定の位置に停止した状態で、搬送中の原稿上の画像を読み取る機能（流し読み取り機能）をも兼ね備えている。
【００２２】
第一光学キャリッジＡの上面に配置されたランプ７は、原稿に光を照射するための光源である。そして、原稿より反射した反射光は、反射ミラー８と集光レンズ１０とによって、ＣＣＤ９に導かれる。ＣＣＤ９は入射した光を電気信号に変換する周知の光電変換素子である。また、原稿台ガラス３上には、原稿台ガラス３上に原稿を載置する場合における原稿の配置位置の基準となる原稿突き当て基準板１１が設けられている。
【００２３】
一方、ＡＤＦ２は、その上部に原稿を載置積載するための原稿積載部となる原稿積載トレイ１３を備えている。原稿積載トレイ１３上の原稿は、搬送（給送）方向の両側部を原稿サイド規制板１２によって規制される。
【００２４】
また、周知の原稿有無センサ１５は、そのレバー山により原稿の先端を検知することによって当該原稿の存在を認識する。さらに、これも周知の原稿長さ検知センサ１４が原稿の長さを検知する。また、原稿積載トレイ１３から送り出される原稿の先端を上方から押さえるためのウエイト１６や、原稿の先端が分離給送部に入り込むのを防ぐための原稿シャッター１７が設けられている。
【００２５】
また、ＡＤＦ２に設けられたピックアップローラ１８は、積載原稿を最下位のものから順次繰り出す機能を有する。ピックアップローラ１８によって繰り出された原稿は、下流の給送ローラ２０により原稿搬送読取部へと搬送されていくこととなる。
【００２６】
また、原稿の搬送経路を挟んで給送ローラ２０と対向する位置には分離ベルト１９が設けられている。この分離ベルト１９は、原稿の給送方向とは逆方向に原稿に対して搬送力を付与するように回転駆動されている。このようにして、原稿が一枚ずつ確実に送り出されるように、分離ベルト１９によって重なった原稿を分離する。
【００２７】
ＡＤＦ２に設けられたレジスト前センサーレバー２１は、原稿の先端を検知して原稿のループ作成のタイミングを計る。レジストローラ対２２は、搬送されてきた原稿を、所定のタイミングで読み取り部に送り出す。原稿先端検知センサ２３は、レジストローラ対２２によって送り出された原稿の先端を検知する。
【００２８】
原稿搬送上ガイド２４は、原稿台ガラス３と対向した位置に設けられている。この原稿搬送上ガイド２４は、原稿を第一読取部２５に案内する役割を有する。第一読取部２５は、原稿台ガラス３と原稿搬送上ガイド２４との間の隙間に設定されている。従って、原稿表面（第一面）に含まれる画像は、当該原稿が第一読取部２５を通過する際、定位置にとどまっている光学キャリッジＡによって読み取られることとなる。
【００２９】
裏面読取手段としての第二光学キャリッジＢは、第二光学キャリッジＢを保持するＡＤＦ内において、第一光学キャリッジＡと原稿台ガラス３を挟んで対向した位置に設けられている。第二光学キャリッジＢ内には第一光学キャリッジＡと同様に、反射ミラーおよびＣＣＤが配置されている。このように、第一光学キャリッジＡとほぼ同様の構成を備えた第二光学キャリッジＢは、原稿の他方の面（第二面（裏面））に含まれる画像を第二読取部２７にて読み取る。第二読取部２７は、原稿台ガラス３に沿った原稿の搬送経路上において、第一読取部２５よりも、原稿給送方向のやや下流側に設定されている。
【００３０】
第一読取部２５及び第二読取部２７を通過した後の原稿は、排出ローラ対３３により、ＦＢ１の機外に排出されることとなる。ＦＢ１の側面には、排出ローラ対３３によって排出された原稿を積載するための排出積載トレイ３２が設けられている。
【００３１】
図３に示すように、ＡＤＦ２はＦＢ１に対して開閉可能に構成されている。ＡＤＦ２が開いた状態ではシート搬送路は、図４（ａ）に示すように、上下に分離される。
【００３２】
そして図４（ａ）に示すように、ＡＤＦ２から送り出される原稿がＦＢ１に落下する部分において、ＡＤＦ２に対してガイド部材としてのガイドフラッパ２８が設けられている。このガイドフラッパ２８は軸２９を中心としてＡＤＦ２に対して回動自在に設けられている。そして、このガイドフラッパ２８はガイドフラッパ２８自体の自重によって、その先端が下方に垂れ下がるように構成されている。ただし、バネ等の付勢手段によって、ガイドフラッパ２８の先端を積極的に下方に向けることもできる。
【００３３】
従って、ＡＤＦ２の開閉動作の過程において、ガイドフラッパ２８の先端がＦＢ１の上面（上部の表面）に当接した状態を保ちつつ、ガイドフラッパ２８が回動するように構成されている。そして、ＡＤＦ２が閉じられた状態ではガイドフラッパ２８の先端がＦＢ１の上面に当接した状態を維持している。上記のように構成された画像読取装置において、以下にその動作を説明する。
【００３４】
（原稿固定方式）
まず、原稿固定方式により、画像を読み取る場合の動作について説明する。この場合、まず、操作者は、ＡＤＦ２を開放し、原稿を原稿台ガラス３上に置き、原稿の一端を原稿突き当て基準板１１に突き当てた状態となるように原稿をセットする。次に、操作者は、ＡＤＦ２を閉じる。これにより、原稿は圧板４によって原稿台ガラス３に押圧固定される。また、これにより、原稿は、そのカールなどが矯正されるとともに、原稿台ガラス３上に密着される。その後、操作者は、不図示の操作盤に備えられた原稿読み取り開始ボタンを押す。これにより、原稿の読み取り動作が開始される。
【００３５】
次に、原稿の読み取り動作について説明する。まず、駆動モータ６による動力の供給により駆動ベルト５が動作を開始する。これにともないキャリッジＡが所定の初期位置へ移動する。そして、キャリッジＡは、初期位置から原稿読み取り位置まで移動しつつ所定の速度に達するまで加速される。更に、キャリッジＡは所定の速度に達した後はその速度を保持しながら、原稿突き当て基準板１１に突き当てられた原稿の先端位置まで到達する。その後もキャリッジＡは、所定速度を保ちながら移動し、原稿を読み取っていく。原稿の全面を読み取った後、キャリッジＡは駆動モータ６の反転駆動により読み取り方向とは逆方向に反転して、所定の待機位置に戻る。
【００３６】
（原稿搬送方式）
次に、原稿搬送方式により、画像を読み取る場合の動作について説明する。この場合、まず、操作者は、原稿をＡＤＦ２の原稿積載トレイ１３上に積載する。このとき、ＡＤＦ２は原稿が原稿積載トレイ１３上に置かれたことを原稿長さ検知センサ１４と原稿有無センサ１５により知ることができる。また、操作者が原稿サイド規制板１２により原稿の幅を設定することによって、原稿長さ検知センサ１４との検知の組み合わせによって、原稿のサイズを知ることができる。
【００３７】
次に、上述の状態にて、操作者が不図示の原稿読み取り開始ボタンを押す。すると、原稿先端を規制していた原稿シャッター１７が開放され、ウエイト１６とピックアップローラ１８によって、原稿の分離部へ原稿束を搬送する。次に原稿は分離ベルト１９と給送ローラ２０により一枚ずつ分離給送される。原稿の先端がレジストローラ対２２に到達し、レジ前センサによって原稿が所定のループを形成した後、給送ローラ２０の回転を停止する。
【００３８】
所定のタイミングの後に、レジストローラ対２２が回転を開始し、原稿を搬送する。搬送された原稿の先端は、原稿先端検知センサ２３によって検知され、原稿が原稿読み取り位置に到達する時間を決定する。そして、原稿は、原稿搬送上ガイド２４によって、第一読取部２５に案内される。そして、原稿は所定の搬送スピードで第一読取部２５を通過する。このとき、原稿が搬送されつつ、第一光学キャリッジＡによって、原稿の片面の画像が順次読み取られる。
【００３９】
また、原稿は第二読取部２７に到達する。そして、上記と同様に、原稿は所定の搬送スピードで第二読取部２７を通過する。このとき、原稿が搬送されつつ、第二光学キャリッジＢによって、原稿の他方の面（裏面）の画像が順次読み取られる。原稿の先端は、第二読取部２７を通過した後、排出ローラ対３３によって搬送される。原稿の全ての画像を読み取った後は、原稿を排出積載トレイ３２上に排出する。以上が、原稿の両面読み取りを行う場合の一連の動作態様である。
【００４０】
次に、ガイドフラッパ２８の動作について説明する。ＡＤＦ２が開いた状態においては、ガイドフラッパ２８は、自重またはバネなどの付勢によって、図４（ａ）に示すように、その先端が下向きに位置する。
【００４１】
図４（ｂ）に示すようにＡＤＦ２が閉じられると、ガイドフラッパ２８の先端がＦＢ１に突き当たる。そして、このガイドフラッパ２８は、軸２９を中心として回動することによって、その先端がＦＢ１に突き当たった状態のまま、正規の位置まで回動してシート搬送路を形成する。
【００４２】
このとき、ガイドフラッパ２８の先端はＦＢ１に突き当たっているためＡＤＦ２とＦＢ１の間の段差は滑らかに連結される。従って、原稿の後端が段差部を落下するときに生じる原稿の上下動を抑えることができる。また、ガイドフラッパ２８が軸２９を中心に回動可能に構成されていることによって、部品や組立のばらつきによって生じるＡＤＦ２とＦＢ１の間の段差に機体差があっても、ガイドフラッパ２８の先端は、常にＦＢ１に突き当たるため、シート搬送路の段差を無くすことができる。
【００４３】
このように原稿の搬送安定性が向上することにより、また読取画像の品質も向上させることができる。特に、カラー画像の読み取りの場合には、画像の色ずれを抑制できる。
【００４４】
［第二実施形態］
本発明に係る画像読取装置の第二実施形態について、図を用いて説明する。図５は本実施形態に係る画像読取装置の特徴部分の拡大断面図であって、上記第一実施形態と説明の重複する部分については同一の符号を付して説明を省略する。
【００４５】
上記第一実施形態においては、ガイド部材であるガイドフラッパ２８を原稿給送部であるＡＤＦ２に設けた構成を説明した。これにたいし本実施形態は、ガイド部材を画像読取部であるＦＢ１側に設けた構成について説明する。
【００４６】
図５に示すように、ＦＢ１とＡＤＦ２の段差部において、ＦＢ１に対してガイド部材であるガイドフラッパ３０が設けられている。このガイドフラッパ３０は軸３１を中心としてＦＢ１に対して回動自在に設けられている。
【００４７】
ガイドフラッパ３０の先端は、付勢手段としてのバネ（不図示）によって上方に付勢されている。これにより、ＡＤＦ２が開いた状態では上向きの角度で位置している。一方、ＡＤＦ２が閉じられると、ＡＤＦ２に押されて軸３１を中心として回動し、ＡＤＦ２に突き当たった状態でシート搬送路を形成する。
【００４８】
このような構成により、ガイドフラッパ３０の先端を確実にＡＤＦ２に当接させることが可能となり、上記第一の実施形態と同様に、ＡＤＦ２とＦＢ１の間の段差を滑らかに連結することができるため、原稿の挙動を安定させることができる。
【００４９】
従って、上記第一の実施形態の場合と同様に、原稿の搬送安定性が向上することができ、また読取画像の品質も向上させることができる。特に、カラー画像の読み取りの場合には、画像の色ずれを抑制できる。
【００５０】
また、このガイドフラッパ３０に、ＦＢ１で原稿固定方式の読み取りを行う場合の原稿突き当て基準板１１の機能を兼ねるようにすることもできる。すなわち、ガイドフラッパ３０の先端面を、原稿の端部の基準面として機能させることができ、、部品点数の減少も図ることができる。
【００５１】
［第三の実施形態］
本発明に係る画像読取装置の第三実施形態について、図を用いて説明する。図６は本実施形態に係る画像読取装置の特徴部分の斜視図であって、上記第一実施形態と説明の重複する部分については同一の符号を付して説明を省略する。
【００５２】
本実施形態は、第一実施形態にてガイド部材として説明したガイドフラッパ２８を、原稿搬送方向と直行する方向に複数に分割して設けた構成を説明する。なお、第二実施形態においてガイド部材として説明したガイドフラッパ３０についても同様に分割して設けることが可能である。
【００５３】
図６に示すように、ＦＢ１とＡＤＦ２の段差部において、ＡＤＦ２に原稿搬送方向と直行する方向に複数のガイドフラッパ３４ａおよび３４ｂが設けられている。これらのガイドフラッパ３４ａ、３４ｂは図６に一点鎖線で示す軸３５を中心としてＡＤＦ２に対して、それぞれ独立に回動自在に設けられている。
【００５４】
また、これらのガイドフラッパ３４ａ、３４ｂは自重またはバネ等の付勢手段によって先端が下方に垂れ下がるように構成されている。従って、ＡＤＦ２の開閉動作の過程において、ガイドフラッパ３４ａ、３４ｂの先端がＦＢ１の上面に当接した状態を保ちつつ、ガイドフラッパ３４ａ、３４ｂが回動するように構成されている。
【００５５】
ガイドフラッパは原稿搬送方向に直行する方向に複数に分割されており、それぞれが独立して回動自在に構成されているため、ＡＤＦ２が閉じられた状態において、ガイドフラッパ３４ａ、３４ｂのそれぞれの先端がＦＢ１の上面に当接した状態を維持するように回動する。
【００５６】
従って、ＦＢ１とＡＤＦ２の間の段差量が原稿搬送方向で一定でない場合に、第一の実施形態と比較して、より確実にガイドフラッパ３４ａ、３４ｂをＦＢ１の上面に当接させて段差を滑らかに連結することができるため、原稿の挙動をより安定させることができる。
【００５７】
なお、本実施形態においてはガイドフラッパを原稿搬送方向に２つに分割した場合について説明したが、３つ以上に分割してそれぞれ独立に回動自在に構成してもよい。
【００５８】
【発明の効果】
上記説明したごとく、本発明に係る画像読取装置は、回動自在なガイド部材によって確実に該ガイド部材の先端が相対する原稿給送部もしくは画像読取部に当接した状態を維持できるため、原稿シートの搬送状態の安定化を図ることができ、また読取画像の品質も向上させることができる。
【図面の簡単な説明】
【図１】第一実施形態に係る画像読取装置の概略構成断面図である。
【図２】画像読取装置の要部拡大図である。
【図３】画像読取装置の模式的斜視図である。
【図４】画像読取装置における特徴部分の拡大断面図である。
【図５】第二実施形態に係る画像読取装置の特徴部分の拡大断面図である。
【図６】第三実施形態に係る画像読取装置の特徴部分の斜視図である。
【符号の説明】
Ａ　　　　…第一光学キャリッジ
Ｂ　　　　…第二光学キャリッジ
１　　　　…ＦＢ
２　　　　…ＡＤＦ
３　　　　…基準原稿台ガラス
４　　　　…圧板
５　　　　…駆動ベルト
６　　　　…駆動モータ
７　　　　…ランプ
８　　　　…反射ミラー
９　　　　…ＣＣＤ
１０　　　　…集光レンズ
１１　　　　…原稿突き当て基準板
１２　　　　…原稿サイド規制板
１３　　　　…原稿積載トレイ
１４　　　　…検知センサ
１５　　　　…原稿有無センサ
１６　　　　…ウエイト
１７　　　　…原稿シャッター
１８　　　　…ピックアップローラ
１９　　　　…分離ベルト
２０　　　　…給送ローラ
２１　　　　…レジスト前センサーレバー
２２　　　　…レジストローラ対
２３　　　　…原稿先端検知センサ
２４　　　　…原稿搬送上ガイド
２５　　　　…第一読取部
２７　　　　…第二読取部
２８　　　　…ガイドフラッパ
２９　　　　…軸
３０　　　　…ガイドフラッパ
３１　　　　…軸
３２　　　　…排出積載トレイ
３３　　　　…排出ローラ対
３４ａ　　…ガイドフラッパ
３４ｂ　　…ガイドフラッパ
３５　　　　…軸
【図１】
2004064607.tif 000003
【図２】
2004064607.tif 000004
【図３】
2004064607.tif 000005
【図４】
2004064607.tif 000006
【図５】
2004064607.tif 000007
【図６】
2004064607.tif 000008